(57)【要約】      （修正有）【課題】簡便な部材構成でありながら新原紙側と旧原紙側に対する良好な紙押さえを容易な切換操作で行うことができ、確実で信頼性の高い紙継を達成できる紙継装置を提供する。【解決手段】紙継装置において、紙継ユニットに、下方部を回動中心として新旧両原紙Ｐの挟着貼り合わせを行う圧着面１４ａ、１４ｂを有する上方部が互いに近接・離反方向に開閉するように回動可能に配置された一対のセットテーブル１３ａ，１３ｂを設ける。さらに、該セットテーブル中間位置の鉛直面上に下部回動中心を位置付けてその上部が該鉛直面から左右両セットテーブル方向に夫々予め定められた角度だけ傾斜可能に立設されているテーブルストッパー２１と、下部回動中心をテーブルストッパーの回動中心と同軸上としてその上部が前記鉛直面から左右両セットテーブル方向に傾斜可能にテーブルストッパーと並設された紙押さえバー２５と、を装備した。【選択図】図２
0003174611.tif 000002
【実用新案登録請求の範囲】
【請求項１】
ミルロールスタンドの一対のロール掛けのいずれか一方に支持された第１の原紙ロールからアキュムレータを介して下流側へ搬送されている旧原紙に、前記ロール掛けの他方に支持された第２の原紙ロールから引き出される新原紙の先端部を前記アキュムレータの上流側で紙継ぎする紙継装置において、
アキュムレータの上流位置で該アキュムレータの原紙搬送方向と平行に往復移動可能に支持された紙継ユニットを備え、
前記紙継ユニットには、アキュムレータへ原紙を送り出すドライブロールと紙継時にドライブロール上の旧原紙を介して圧接することによりドライブロールの回転を止めて紙継ユニットからの旧原紙の送り出しを停止させるためのニップロールと、これらドライブロールとニップロールより上流位置で搬送中の原紙を間にして下方部を回動中心として上方部が互いに近接・離反方向に開閉するように回動可能に配置された一対のセットテーブルと、一対のセットテーブルの中間位置の鉛直面上に下部回動中心を位置付けてその上部が前記鉛直面から左右両セットテーブル方向にそれぞれ予め定められた角度だけ傾斜可能に立設されているテーブルストッパーと、該テーブルストッパーの回動中心と同軸上にその下部回動中心を位置付けてその上部が前記鉛直面から左右両セットテーブル方向に傾斜可能に前記テーブルストッパーと並設された紙押さえバーと、が装備され、
前記一対のセットテーブルは、互いの下方部同士の間に予め定められた間隔を持ち、紙継時に新旧両原紙の貼り合わせ部を互いに両側から前記鉛直面上で挟着する一対の圧着面を上方部に有すると共に、紙継後の旧原紙を切断するためのカッターをそれぞれ装備し、前記鉛直面を間にして対称的なスプライス機構を構成しており、
前記テーブルストッパーは、搬送中の原紙に干渉しない領域内で傾斜移動するものであり、一方または他方のセットテーブル側への傾斜状態にて、該テーブルストッパーの上部が閉方向に回動する一方または他方のセットテーブルに当接してその回動を規制することにより該セットテーブルの圧着面を前記鉛直面上に位置決め固定すると共に、一方または他方のセットテーブルに対して近接して閉状態となった他方または一方のセットテーブルには干渉しないものであり、
前記紙押さえバーは、搬送中の原紙に干渉しない領域内で傾斜移動するものであり、紙継動作時には、前記テーブルストッパーの当接により位置決め固定された一方または他方のセットテーブルに対して傾斜して圧着面より上流位置で新原紙を押さえつけ、該押さえつけ状態が他方または一方のセットテーブルの閉方向への回動による両圧着面同士の新旧両原紙の挟着貼り合わせが完了するまで維持され、貼り合わせ完了後に、逆の他方または一方のセットテーブル側へ傾斜して圧着面より上流位置で旧原紙を押さえつけ、該押さえつけ状態が旧原紙の切断完了まで維持されるものであることを特徴とする紙継装置。
【請求項２】
前記紙継ユニットからアキュムレータへ向かう原紙がニップロールとドライブロールとにそれぞれ半周以上に亘ってＳ字状に巻き掛けられており、原紙搬送中はニップロールとドライブロールとを共に原紙走行速度に同期した周速で互いに逆方向に回転させると共に、ドライブロール停止時にはニップロールをその回転を維持しながらドライブロールに圧接させる駆動装置が設けられていることを特徴とする請求項１に記載の紙継装置。
【考案の詳細な説明】
【技術分野】
【０００１】
本考案は、紙継装置に関するものであり、例えば段ボールシートを生産するコルゲートマシンにおいて連続的な原紙供給を維持するために新旧ロール原紙の紙継を行うための紙継装置に関するものである。
【背景技術】
【０００２】
段ボールを製造するコルゲートマシンでは、紙継装置が設けられており、該装置の紙継ユニットを経由して原紙ロールから繰り出される原紙が供給されるが、原紙ロールが使い切られるまえに、該紙継ユニット内にて、予め待機させた別の原紙ロールから新たな原紙が供給されるべく旧原紙の後端に新原紙の先端部を重ね合わせて原紙の供給を切り換える紙継が行われている。
【０００３】
このような紙継装置では、紙継動作を開始するに当たって、まずアキュムレータ内部に原紙の出側のライン速度を保ちながら入側の速度を増して旧原紙を蓄積しておき、その後旧原紙ロールの回転停止して入側からの原紙供給を停止して旧原紙の後部に新原紙の先端を両面接着テープで貼り合わせると共に旧原紙を原紙ロールから切り離す紙継動作の間、蓄積された旧原紙がライン速度で送り出されている。よって、旧原紙の蓄積分が全て送り出された時点で新原紙ロールの回転が開始されていれば、旧原紙の後端に先端が貼着された新原紙の供給が始まり、旧原紙と新原紙とが滞りなく切り換えられて継続的な原紙供給が維持される（例えば、特許文献１、２参照。）。
【０００４】
また、上記の如き従来の紙継装置においては、一般的に、紙継ユニット内の新旧原紙同士を貼着する紙継部が、互いに近接・離反するように開閉する一対の揺動テーブルからなり、閉じられたこれら揺動テーブルの間で旧原紙と新原紙とが両面接着テープを介して重なり合って挟まれ、その圧着で新旧原紙の貼着がなされている。即ち、この対称的なスプライス圧着部が紙継部となっている。
【０００５】
また、紙継ユニットに搬送中の原紙を間にして互いに近接・離反可能な一対の圧着ロールを配置し、紙継時にはこれら一対の圧着ロールが新旧両原紙の貼り合わせ部を挟着しつつ互いに逆方向に回転して貼着済み原紙を送り出す構成とした紙継装置が考えられている。この場合、圧着ロール間で貼り合わせ部を全幅に亘って均一な力で確実に圧着できると共にこの貼り合わせ部の挟着状態を維持したまま原紙の送給の再開を同時にできるため、紙継動作の所要時間を極めて短くできる（特許文献３参照。）。
【先行技術文献】
【特許文献】
【０００６】
【特許文献１】特開２００２−０１２３４９号公報
【特許文献２】特開２００３−１８２８９５号公報
【特許文献３】実用新案登録第３１１１０２６号公報
【考案の概要】
【考案が解決しようとする課題】
【０００７】
以上のような従来の紙継装置においては、紙継動作開始に当たって新原紙がセットされる準備工程にて、一方の揺動テーブルや圧着ロールに対して押さえ部材により新原紙が押さえつけられ、この押さえつけ状態を維持して他方の揺動テーブルや圧着ロールとの近接により新旧両原紙が張り合わされ、また他方の揺動テーブルや圧着ロール側では旧原紙の供給停止時から新旧両原紙の貼り合わせ時におけるカッターによる切断まで旧原紙が押さえ部材により押さえつけられるものである。従って、各押さえ部材も一対の揺動テーブルや圧着テーブルのそれぞれに対応するため一対ずつ設けられており、原紙の押さえつけ及び開放を新原紙側と旧原紙側でそれぞれの部材毎にタイミングを計って操作を行う必要があり、部材構成や作業手順が煩雑であった。
【０００８】
本考案の目的は、上記問題点に鑑み、簡便な部材構成でありながら新原紙側と旧原紙側に対する良好な紙押さえを容易な切換操作で行うことができ、確実で信頼性の高い紙継を達成できる紙継装置を提供することにある。
【課題を解決するための手段】
【０００９】
上記目的を達成するため、本考案は、ミルロールスタンドの一対のロール掛けのいずれか一方に支持された第１の原紙ロールからアキュムレータを介して下流側へ搬送されている旧原紙に前記ロール掛けの他方に支持された第２の原紙ロールから引き出される新原紙の先端部を前記アキュムレータの上流側で紙継ぎする紙継装置において、アキュムレータの上流位置で該アキュムレータの原紙搬送方向と平行に往復移動可能に支持された紙継ユニットに、アキュムレータへ原紙を送り出すドライブロールと紙継時にドライブロール上の旧原紙を介して圧接することによりドライブロールの回転を止めて紙継ユニットからの旧原紙の送り出しを停止させるためのニップロールと、これらドライブロールとニップロールより上流位置で搬送中の原紙を間にして下方部を回動中心として上方部が互いに近接・離反方向に開閉するように回動可能に配置された一対のセットテーブルと、一対のセットテーブルの中間位置の鉛直面上に下部回動中心を位置付けてその上部が前記鉛直面から左右両セットテーブル方向にそれぞれ予め定められた角度だけ傾斜可能に立設されているテーブルストッパーと、該テーブルストッパーの回動中心と同軸上にその下部回動中心を位置付けてその上部が前記鉛直面から左右両セットテーブル方向に傾斜可能に前記テーブルストッパーと並設された紙押さえバーと、を装備したものである。
【００１０】
本考案による紙継装置においては、一対のセットテーブルは、互いの下方部同士の間に予め定められた間隔を持ち、紙継時に新旧両原紙の貼り合わせ部を互いに両側から前記鉛直面上で挟着する一対の圧着面を上方部に有すると共に、紙継後の旧原紙を切断するためのカッターをそれぞれ装備し、前記鉛直面を間にして対称的なスプライス機構を構成しており、テーブルストッパーは、搬送中の原紙に干渉しない領域内を傾斜移動するものであり、一方または他方のセットテーブル側への傾斜状態にて、該テーブルストッパーの上部が閉方向に回動する一方または他方のセットテーブルに当接してその回動を規制することにより該セットテーブルの圧着面を前記鉛直面上に位置決め固定すると共に、一方または他方のセットテーブルに対して近接して閉状態となった他方または一方のセットテーブルには干渉しないものであり、紙押さえバーは、搬送中の原紙に干渉しない領域内を傾斜移動するものであり、紙継動作時には、前記テーブルストッパーの当接により位置決め固定された一方または他方のセットテーブルに対して傾斜して圧着面より上流位置で新原紙を押さえつけ、該押さえつけ状態が他方または一方のセットテーブルの閉方向への回動による両圧着面同士の新旧両原紙の挟着貼り合わせが完了するまで維持され、貼り合わせ完了後に、逆の他方または一方のセットテーブル側へ傾斜して圧着面より上流位置で旧原紙を押さえつけ、該押さえつけ状態が旧原紙の切断完了まで維持されるものである。
【００１１】
従って、本考案による紙継装置では、一対のセットテーブルの中間に立設された一つのテーブルストッパーの上方部が、両セットテーブルの圧着面をそれぞれ新旧両原紙を貼り合わせる挟着位置に位置決めすることができると共に、一方のセットテーブルへの傾斜当接による位置決め動作と他方のセットテーブルからの退避による位置決め解除動作とが同一部材によるワンアクションで完了する。このため、各セットテーブル毎にストッパーを設け、その２つのストッパーに対して一方の当接位置決め動作と他方の位置決め解除動作とをそれぞれ別個に行う場合に比べて、部材構成が少ないだけでなく作動操作も少なくなり、正確に位置決めされる圧着面同士による確実な新旧両原紙の貼り合わせと共に、紙継動作工程の効率化を図ることができる。
【００１２】
さらに、本考案による紙継装置では、テーブルストッパーと下部回動中心が同軸状に並設された一つの紙押さえバーにより、一方のセットテーブルへの傾斜による原紙押さえつけ動作と同時に他方のセットテーブルからの退避によるに原紙押さえつけ開放動作とが完了するため、新原紙と旧原紙とに対する押さえつけ状態の切換を、同一部材によるワンアクションで行うことができる。このため、各セットテーブル毎に押さえつけ部材を設けて、一方の部材に対する原紙押さえつけ動作と他方の部材に対する原紙押さえつけ開放動作とをそれぞれ別個に行う場合に比べて部材構成も作動操作も少なくなり、更なる紙継動作工程の効率化を可能とする。
【００１３】
これらテーブルストッパーと紙押さえバーに必要な駆動は、共に下方部を回動中心として上方部を左右両方向に振り子状に傾斜揺動する単純な動きのみで済むため、駆動系に必要な機械構成も動力も極めて簡単で小さく抑えられる。なお、テーブルストッパーと紙押さえバーとは互いに下方部回動中心が同軸状に並設されているが、共に連動して傾斜駆動させる構成としても、互いに独立して傾斜駆動させる構成としてもよい。
【００１４】
本考案による紙継装置では、好ましくは紙継ユニットからアキュムレータへ向かう原紙がニップロールとドライブロールとにそれぞれ半周以上に亘ってＳ字状に巻き掛けられており、駆動装置によって、原紙搬送中はニップロールとドライブロールとを共に原紙走行速度に同期した周速で互いに逆方向に回転させると共に、ドライブロール停止時にはニップロールをその回転を維持しながらドライブロールに圧接させるものである。
【００１５】
即ち、該駆動装置によれば、紙継ユニット内でドライブロールとニップロール及びその駆動装置を原紙貼り合わせ挟着部に近接して配置でき、紙継ユニットがミルロールスタンドの左右どちらの原紙ロール上に位置していても、挟着部とドライブロールとニップロールによる原紙圧接保持部との距離を一定の短距離に維持できると共に、両ロール間の原紙通過方向を垂直方向に向けることができる。よって、ドライブロールとニップロールがアキュムレータフレーム内に配置されて原紙圧接保持部と挟着部との距離が長い場合に生じる原紙の撓みという原紙送給再開時の破断の原因が本考案の紙継装置においては避けられる。
【００１６】
なお、ドライブロールとニップロールは、原紙搬送中に原紙走行速度と同期した周速で互いに逆方向に回転され、ドライブロール停止動作時には、ニップロールをその回転を維持したままドライブロールに圧接させることにより、両ロール間に原紙が挟まれる際には、ニップロールは原紙走行速度と同一であるため原紙における張力変動が抑えられ、その状態で最終的に両ロールに制動がかけられると、原紙に破断が生じるような衝撃もなくスムーズに原紙供給を停止することができる。
【考案の効果】
【００１７】
本考案の紙継装置においては、紙継ユニット内で新旧両原紙の挟着貼り合わせを行う一対のセットテーブルの中間位置に、それぞれ上部が左右セットテーブル方向に傾斜移動するテーブルストッパーと紙押さえバーとを、互いに下部回転中心を同軸状に並設し、テーブルストッパーの一方のセットテーブルへの傾斜当接により該セットテーブルを予め定められた新旧両原紙の挟着貼り合わせ状態に位置決めすることができると共にこの一方のセットテーブルに対する位置決め動作と他方のセットテーブルからの退避が同時にワンアクションで行えるだけでなく、紙押さえバーの一方のセットテーブルへの傾斜により該セットテーブルに対する原紙の押さえつけ動作と他方のセットテーブルに対する原紙の押さえつけ開放動作とが同時にワンアクションで行える。従って、従来より部材数の少ない簡便な構成で、新原紙側と旧原紙側に対する良好な紙押さえを容易な切換操作で行うことができ、確実で信頼性の高い紙継を達成できるという効果がある。
【図面の簡単な説明】
【００１８】
【図１】ミルロールスタンド上に配置された本発明の一実施形態による紙継装置の全体構成を示す概略正面図である。
【図２】本発明の一実施形態による紙継装置の紙継ユニットの内部構造を示す説明図である。
【図３】紙継動作の前準備工程における新原紙セット時の状態を示す図２に対応した説明図である。
【図４】紙継動作の前準備工程におけるテーブルストッパーによる右側セットテーブルの位置決め状態を示す図２に対応した説明図である。
【図５】紙継動作の前準備工程完了時における紙押さえバーによる右側セットテーブルに対する新原紙押さえつけ状態を示す図２に対応した説明図である。
【図６】紙継動作の開始時における新旧両原紙の挟着貼り合わせ状態を示す図２に対応した説明図である。
【図７】紙継動作の新旧両原紙貼り合わせ後の旧原紙切断状態を示す図２に対応する説明図である。
【図８】紙継動作の完了時における新原紙供給状態を示す図２に対応する説明図である。
【図９】ドライブロールとニップロールとの動作を示す説明図であり、（ａ）はフレーム上の紙継ユニット内の位置関係を示す概略図であり、（ｂ）は、ドライブロールとニップロール部分の概略図である。
【考案を実施するための形態】
【００１９】
本考案の好適な一つの実施形態としての紙継装置を以下に示す。図１は、本実施形態による紙継装置の全体構成を示す概略正面図である。図２は本紙継装置の主要部である紙継ユニットの内部構造を通常の原紙搬送中の状態で示す説明図であり、図３〜図８は紙継時の各段階における紙継ユニット各部の位置関係を示している。なお、図５〜図８では、紙押さえバーの動作説明の簡単のため、テーブルストッパーの図示を省略している。
【００２０】
図１において、紙継装置１は、ミルロールスタンド２上に配置されて、ミルロールスタンド２の左右に一つずつそれぞれ上下にスイング動作可能に設けられたロール掛け（３ａ，３ｂ）に回転駆動可能に支持された原紙ロール（４ａ，４ｂ）からの原紙同士を紙継するものである。
【００２１】
ミルロールスタンド２の上方には原紙送給ライン方向に沿って延在するアキュームレータ５が配置されており、そのフレーム６に、アキュームレータ５の上流位置で、該アキュムレータのライン方向に沿ってミルロールスタンド２を挟んだ左側原紙ロール４ａの上方位置と右側原紙ロール４ｂの上方位置との間を往復移動可能に紙継ユニット１０が支持されている。
【００２２】
また、アキュームレータ５には、フレーム６の左側端部に位置する固定側回転ロール群７と、それよりも右側でフレーム６に沿ってライン方向へ往復移動可能な可動側ロール群８とを有し、両ロール群間には原紙Ｐが巡らされている。このアキュームレータ５においては、出側ライン速度を維持したままロール群（７，８）間の距離を大きくすると原紙蓄積量を増加させることができるため、紙継動作の開始に先立って原紙蓄積量を増やしておけば、紙継の開始に伴って入り側からの原紙供給が停止されてからもロール群間の距離を近づけながら出側への原紙供給を継続できる。
【００２３】
ここで、図１において、左右のロール掛けのうちの左側ロール掛け３ａに支持されている原紙ロール４ａからの原紙Ｐが紙継ユニット１０内を経由してアキュームレータ５へ送られ、アキュームレータ５の出側からコルゲートマシン（不図示）へのラインへ供給されているものとし、この原紙ロール４ａを旧原紙ロールとする。また右側ロール掛け３ｂには旧原紙ロール４ａに代わってラインへ供給されるべき新原紙ロール４ｂが準備されているものとする。
【００２４】
一方、紙継ユニット１０は、図９に示すように、アキュームレータ５の出口側に配置されたドライブロール１１と紙継時にドライブロール１１に旧原紙Ｐを介して圧接することによりドライブロール１１の回転を止めて紙継ユニット１０を介した旧原紙Ｐの送り出しを停止させるニップロール１２とを備えている。
【００２５】
これらドライブロール１１とニップロール１２との上流位置に、一対のセットテーブル（１３ａ、１３ｂ）が、図２に示す如く、搬送中の原紙Ｐを間にして下方部を回動中心として上方部が互いに近接・離反方向に開閉するように回動可能に配置されており、該上方部には、紙継時にこれらセットテーブル（１３ａ，１３ｂ）の中間の鉛直面２０上で新旧両原紙の貼り合わせ部を互いに両側から挟着する一対の圧着面（１４ａ，１４ｂ）をそれぞれ有している。また一対のセットテーブル（１３ａ，１３ｂ）の下方部付近には、紙継ユニット１０内に導入された原紙が該一対のセットテーブル間の所定経路上を走行するように案内するガイドロール（１８ａ，１８ｂ）が配置されている。通常の搬送状態においては、一対のセットテーブル（１３ａ，１３ｂ）は、図２に示すように、両圧着面（１４ａ，１４ｂ）がそれぞれ前記鉛直面２０から若干離れた位置にあるに互いに離反する退避状態になっている。
【００２６】
一対のセットテーブル（１３ａ，１３ｂ）は、互いの下方部が予め定められた間隔を持って配置されており、それぞれ下方部よりも上方部が互いに突き出て圧着面（１４ａ，１４ｂ）同士が近接するような略Ｌ字形状を有している。またそれぞれ紙継後の旧原紙を切断するためのカッター（１７ａ，１７ｂ）を装備し、前記鉛直面２０を間にして対称的なスプライス機構を構成している。
【００２７】
よって、一対のセットテーブル（１３ａ，１３ｂ）は、圧着面（１４ａ，１４ｂ）同士が前記挟着位置にある上方部の閉状態においても下方部同士の間に空間が確保され、この中央空間に、いずれか一方のセットテーブル１３ａ又は１３ｂに当接して該テーブルの位置決めをするためのテーブルストッパー２１と、いずれか一方のセットテーブル１３ａ又は１３ｂに対して原紙を押さえつける紙押さえバー２５とが並設されている。
【００２８】
テーブルストッパー２１は、前記鉛直面２０上に下部回動中心２３を位置付けてその上部が該鉛直面から左右両セットテーブル方向にそれぞれ予め定められた角度だけ首振り状に傾斜可能に立設されており、このテーブルストッパー２１の上端部には、２つの突起部（２２ａ，２２ｂ）がＹ字状にセットテーブルに対する当接部として左右上向きに突設されている。また、一対のセットテーブル（１３ａ，１３ｂ）には、それぞれ、傾斜状態のテーブルストッパー２１の突起部（２２ａ，２２ｂ）の当接を受け止めるストッパー受け部（１５ａ，１５ｂ）が、原紙が走行する領域より外側（紙面に対して手前側）に設けられている。即ち、テーブルストッパー２１の傾斜移動範囲も搬送中の原紙に干渉しない領域内である。
【００２９】
セットテーブル（１３ａ，１３ｂ）は、それぞれ、閉方向への回動範囲が前記鉛直面２０を若干越える程度に調整されており、テーブルストッパー２１の左右いずれか一方のセットテーブル１３ａ又は１３ｂへの傾斜状態にて、該テーブルストッパー２１の突起部２２ａ又は２２ｂの一方が閉方向に回動する一方のセットテーブル１３ａ又は１３ｂのストッパー受け部１５ａ又は１５ｂに当接してその回動を規制することにより該セットテーブル１３ａ又は１３ｂの圧着面１４ａ又は１４ｂを前記鉛直面２０上に位置決め固定するものであり、このとき、他方の突起部２２ｂ又は２２ａは位置決めされている一方のセットテーブル１３ａ又は１３ｂに対して近接し、閉状態となった他方のセットテーブル１３ｂ又は１３ａには干渉しない位置にある。
【００３０】
従って、本実施形態のテーブルストッパー２１によれば、一方のセットテーブル１３ａ又は１３ｂに対する位置決めのための傾斜移動と同時に他方のセットテーブル１３ｂ又は１３ａからの退避が同時にワンアクションで行われる。本実施形態においては、テーブルストッパー２１の回動中心２３付近の下端部に逆Ｌ字状に連通しているストッパーレバー２４を備えており、該ストッパーレバー２４を上下方向に駆動することによってテーブルストッパー２１が回動してその上部が左右方向に傾斜移動される。
【００３１】
また、紙押さえバー２５は、その下部回動中心２７がテーブルストッパー２１の回動中心と同軸状に（紙面に対して垂直方向に）並設され、上部が搬送中の原紙に干渉しない領域内で左右セットテーブル方向へ首振り状に傾斜移動するものである。この紙押さえバー２５の上端部の左右に角状に突設された２つの押さえ突部（２６ａ，２６ｂ）が形成されている。一方、一対のセットテーブル（１３ａ，１３ｂ）は、圧着面（１４ａ，１４ｂ）の直ぐ上流位置で該圧着面より左右方向に入り込んだ傾斜面がそれぞれ紙押さえバー２５の傾斜による突部（２６ａ，２６ｂ）の当接領域であり、該領域に、押さえつけられた原紙を受け止めるための弾性部材（１６ａ，１６ｂ）がそれぞれ取り付けられている。この弾性部材に対する押圧で原紙は良好に押さえつけ固定される。
【００３２】
この紙押さえバー２５は、紙継動作時には、テーブルストッパー２１の突起部２２ａ又は２２ｂの当接により位置決め固定された一方のセットテーブル１３ａ又は１３ｂに対して傾斜して圧着面１４ａ又は１４ｂより上流位置で新原紙を弾性部材１６ａ又は１６ｂに対して押さえつけ、該押さえつけ状態は他方のセットテーブル１３ｂ又は１３ａの閉方向への回動による両圧着面同士の新旧両原紙に対する挟着状態で貼り合わせが完了するまで維持される。
【００３３】
新旧両原紙の貼り合わせ完了後に、紙押さえバー２５は逆側へ傾斜して他方のセットテーブル１３ｂ又は１３ａの弾性部材１６ｂ又は１６ａに対してその圧着面１４ｂ又は１４ａより上流位置で旧原紙を押さえつけ、該押さえつけ状態が旧原紙のカッター１７ｂ又は１７ａによる切断完了まで維持される。
【００３４】
従って、本実施形態における紙押さえバー２５によれば、一方のセットテーブル側への傾斜による原紙の押さえつけ動作と、他方のセットテーブルに対する原紙の押さえつけ開放動作とが同時にワンアクションで行われる。また、紙押さえバー２５の回動中心２７付近の下端部にＬ字状に連通している押さえバー用レバー２８を備えており、該レバー２８を上下方向に駆動することによって紙押さえバー２５が回動してその上部が左右方向に傾斜移動される。
【００３５】
以上の構成を備えた本実施形態の紙継装置１においては、紙継ユニット１０における各部は、紙継動作に従って以下に説明するように図３〜図８に示す各状態をとる。なお、以下の説明においては、左右ロール掛けのうち左側のロール掛け３ａに支持されている原紙ロール４ａからの原紙Ｐを旧原紙とし、右側ロール掛け３ｂに支持される原紙ロール４ａが新原紙ロールとして準備されたものとする。
【００３６】
新原紙のセットは旧原紙Ｐのライン搬送中に行われるものであり、まず図９（ｂ）に示すように、旧原紙ロール４ａから紙継ぎユニット１０内に導入された旧原紙Ｐは、左側のガイドロール１８ａの一部を巡って上方のニップロール１２に至り、該ニップロール１２の上半周を巡ってドライブロール１１とのロール間隙を下向きに通過し、更にドライブロール１１の下半周と右上約１／４周を巡ってから左方向へアキュームレータ５の入側に連続的に送り込まれている。この間、左側セットテーブル１３ａは、開方向へ所定角度回動されており、圧着面１４ａが鉛直面２０よりある程度離れた位置にあるよう退避状態となっている。
【００３７】
紙継装置１の作動を制御するコントローラ（不図示）にスプライス指令が与えられることにより紙継動作が開始される。なお、紙継動作開始前には、アキュームレータ５内にて、可動側ロール群８が固定側ロール群７から離れる方向に移動されて紙継動作に必要な時間を稼ぐ分だけの充分な両の原紙が蓄えられている。
【００３８】
また、紙継動作開始前の前準備工程として、紙継ユニット１０が新原紙ロール４ｂの直上に移動され、図３に示すように右側のセットテーブル１３ｂが開方向（時計方向）に回動されてセット位置にされる。そして新原紙ロール４ｂからの新原紙の先端部が手作業により、開状態の右側セットテーブル１３ｂの回動中心付近のガイドロール１８ｂの下方から紙押さえバー２５との間を通してセットテーブル１３ｂの左側から該テーブル１３ｂの周囲を経由して圧着面１４ｂを越えるまで引き出される。
【００３９】
ストッパーレバー２４の上方向への駆動によりテーブルストッパー２１が右側へ定められた角度だけ回動されてその上部が右側へ傾斜する。次いで、図４に示すように、このテーブルストッパー２１の右側傾斜状態が維持されたまま、右側セットテーブル１３ｂが閉方向（反時計方向）に回動するが、右側傾斜状態のテーブルストッパー２１の右側突起２２ｂにストッパー受け部１５ｂが当接することによってその回動が規制されると同時に圧着面１４ｂが鉛直面２０上に位置決めされる。
【００４０】
次に、図５に示すように、押さえバー用レバー２８の下方向への駆動により紙押さえバー２５が右側へ回動されてその上部が右側へ傾斜することによって、右側突起２６ｂが右側セットテーブル１３ｂの弾性部材１６ｂに対して新原紙を押さえつけてずれないように固定する。固定された新原紙の圧着面１４ｂ上に位置する領域の上面に、両面接着テープがほぼ全幅に亘って貼り付けられる。
【００４１】
以上の新原紙セット工程が完了し、コントローラからスプライス指令が与えられると、旧原紙ロール４ａと紙継ユニット１０内のドライブロール１１及びニップロール１２に制動がかけられると同時に、ニップロール１２がドライブロール１１上を走行中の旧原紙Ｐを間にして押し付けられる。この際、ニップロール２１は原紙走行速度と同一周速での回転を維持しながらドライブロール１１に対して旧原紙Ｐを介して圧接するため、旧原紙Ｐは両ロールに挟まれても張力変動が極力抑えられた状態であり、両ロールに制動をかけてアキュームレータ５への旧原紙供給を停止した際に破断が生じることはない。
【００４２】
このように、アキュームレータ５への旧原紙供給が停止しても、出側ライン速度を維持するように可動側ロール群８が固定側ロール群７に近接するように移動することによって、その蓄積分で出側ライン速度を補償するため、アキュームレータ５からコルゲートマシンへの原紙供給は継続され、その間に、以下の全ての紙継動作が行われる。
【００４３】
アキュームレータ５の入側で紙継ユニット１０内の各ロールと旧原紙ロール４ａが停止されると、図６に示すように、前述の退避状態にあった左側のセットテーブル１３ａが閉方向に回動され、その圧着面１４ａが前記鉛直面２０上で右側セットテーブル１３ｂの圧着面１４ｂとの間で新旧両原紙を挟着する。この挟着により、両面接着テープを介して旧原紙Ｐと新原紙との貼り合わせが完了する。
【００４４】
この両圧着面（１４ａ，１４ｂ）による挟着状態にて、図７に示すように、押さえバー用レバー２８の上方向への駆動により紙押さえバー２５を左側へ回動させる。これにより紙押さえバー２５の上部が左側へ傾斜し、その左側突起２６ａが左側セットテーブル１３ａの弾性部材１６ａに対して旧原紙Ｐを押さえつける。このとき同時に右側セットテーブル１３ｂの弾性部材１６ｂに対する新原紙の押さえつけが開放される。
【００４５】
旧原紙Ｐは、弾性部材１６ａに対する左側突起２６ａの押さえつけにより、両圧着面（１４ａ，１４ｂ）による挟着部との間で引っ張られて緊張状態となる。この旧原紙Ｐの緊張部分Ｔにおいて、原紙面に対して刃が直交する方向にカッター１７ａが作動され、旧原紙Ｐが新原紙との貼り合わせ部の後端で切断される。
【００４６】
旧原紙Ｐの切断後、図８に示すように、右側セットテーブル１３ｂを開方向へ所定角度回動させることにより、圧着面１４ｂが鉛直面２０よりある程度離れる退避状態となり、直ちにドライブロール１１とニップロール１２並びに新原紙ロール４ｂの回転が開始されてラインへ新原紙が送られる。左側セットテーブル１３ａも退避状態として図２の状態に戻し、所与の加速時間後にアキュームレータ５の入側の新原紙搬送速度がライン速度に達するとアキュームレータ５の補償動作も完了すれば、紙継動作も全て完了したことになり、通常の原紙搬送状態となる。
【００４７】
なお、この後、右側の原紙ロール４ｂを交換する時期がきた場合には、上述の図３〜８を左右反転させたような状態で左側原紙ロール４ａを新原紙ロールとして紙継ユニット１０内で上述の同様の紙継動作が行われることは言うまでもない。
【符号の説明】
【００４８】
１：紙継装置
２：ミルロールスタンド
３ａ：左側ロール掛け
３ｂ：右側ロール掛け
４ａ，４ｂ：原紙ロール
５：アキュームレータ
６：フレーム
７：固定側ロール群
８：可動側ロール群
１０：紙継ユニット
１１：ドライブロール
１２：ニップロール
１３ａ：左側セットテーブル
１３ｂ：右側セットテーブル
１４ａ，１４ｂ：圧着面
１５ａ，１５ｂ：ストッパー受け部
１６ａ，１６ｂ：弾性部材
１７ａ，１７ｂ：カッター
１８ａ：左側ガイドロール
１８ｂ：右側ガイドロール
２０：鉛直面
２１：テーブルストッパー
２２ａ：左側突起
２２ｂ：右側突起
２３：テーブルストッパーの回動中心
２４：ストッパーレバー
２５：紙押さえバー
２６ａ：左側突部
２６ｂ：右側突部
２７：紙押さえバーの回動中心
２８：押さえバー用レバー
【図１】
0003174611.tif 000003
【図２】
0003174611.tif 000004
【図３】
0003174611.tif 000005
【図４】
0003174611.tif 000006
【図５】
0003174611.tif 000007
【図６】
0003174611.tif 000008
【図７】
0003174611.tif 000009
【図８】
0003174611.tif 000010
【図９】
0003174611.tif 000011